(57)【特許請求の範囲】
【請求項１】
任意の場所に着脱自在の取付具と、上下移動装置及び任意位置に停止しロックする停止装置を内蔵し、前記取付具に吊り下げた状態で着脱自在に取り付けたハンガー本体と、該ハンガー本体に着脱自在に取り付けたハンガーバーと、からなり、前記停止装置は、２つのリールの外周に刻設した歯と、これらの歯に互いに噛合う爪を有するプルノブと、該プルノブの爪を噛合う方向に付勢する付勢具と、該付勢具の付勢力に沿いあるいは反して前記プルノブを進退移動させて前記リールの歯と前記プルノブの爪とを噛合いあるいは外すスイッチと、からなることを特徴とするオートハンガー。
【請求項２】
前記上下移動装置は、ハンガー本体に設けた２本の軸に２個のリールを回転自在に設け、これら軸とリールとの間に互いに逆回転方向のゼンマイバネを介在させて設け、前記取付具に前記ハンガー本体を吊るしている糸を前記リールに巻き付けた状態で取り付けた請求項１記載のオートハンガー。
【請求項３】
前記上下移動装置に巻き上げ方向に作用するダンパー装置を設けた請求項１又は２記載のオートハンガー。
【発明の詳細な説明】
【０００１】
【発明の属する技術分野】
本発明は、広告用、掲示用などのポスター等を天井などから吊るす際に使用され、そのポスター等の吊るす位置を自在に設定できるオートハンガーに関する。
【０００２】
【従来の技術】
従来、ポスター等を天井などから吊るす際、予め天井に吊り下げ棒を取り付けて置き、その吊り下げ棒にポスター等を取り付けたり、逆に予め天井から吊り下げたフックにポスター等を取り付けた棒をひっかけていた。そして、ポスター等を吊るす高さの調節は、吊り下げ棒やフックを吊っている紐などの長さを変えることにより行っていた。また、上記吊り下げ棒やフックが天井に予め取り付けて無かったり、取り付けるのが厄介な場合は、仕方がなく側壁にポスター等を貼っていた。また、電動で吊り下げ棒やフックを上下することも考えられるが、電源や配線工事が必要になるなど大がかりになりすぎる。
【０００３】
【発明が解決しようとする課題】
しかしながら、上記従来例では、いずれもポスター等を吊るす位置が予め決まっており、その位置を変えようとすると、天井に吊り下げ棒やフックを新たに取り付けなければならず、厄介である。また、ポスター等を吊るす高さも予め決まっており、その高さを変えようとすると、吊り下げ棒やフックの設置高さを変えたり、ポスター等を下げる場合には紐を継ぎ足す等の作業を行う必要があり、厄介であった。
【０００４】
そこで、本発明が解決すべき課題は、電気などを使用することなく、ポスターを吊るす位置や高さが容易に変更することの出来るオートハンガーを提供することにある。
【０００５】
【課題を解決するための手段】
本発明のオートハンガーは、上記課題を解決するために提案されたものであって、下記の構成からなることを特徴とするものである。すなわち、
請求項１の発明は、任意の場所に着脱自在の取付具と、上下移動装置及び任意位置に停止しロックする停止装置を内蔵し、前記取付具に吊り下げた状態で着脱自在に取り付けたハンガー本体と、該ハンガー本体に着脱自在に取り付けたハンガーバーと、からなり、前記停止装置は、２つのリールの外周に刻設した歯と、これらの歯に互いに噛合う爪を有するプルノブと、該プルノブの爪を噛合う方向に付勢する付勢具と、該付勢具の付勢力に沿いあるいは反して前記プルノブを進退移動させて前記リールの歯と前記プルノブの爪とを噛合いあるいは外すスイッチと、からなることを特徴とするオートハンガーを提供するものである。従って、任意の場所に取付具を着すことでポスター等を吊るす位置を変え、上下移動装置によりハンガーバーに吊るしたポスター等の高さを調節し、ハンガー本体にポスター等を取り付けたハンガーバーを変えることで、ポスター等を変えることができる。また、プルノブを付勢具の付勢力に反して下方に引き、リールの歯と前記プルノブの爪との噛合いを外すと共にスイッチをオフの状態にし、そのまま設定位置まで引くと上下移動装置のゼンマイバネを巻き上げ、プルノブの引くのを止めると、付勢具の付勢力によりリールの歯とプルノブの爪とが噛合い直ちにハンガー本体を下げた位置で停止出来る。スイッチをオンすると、プルノブを付勢具の付勢力に反して移動させてリールの歯とプルノブの爪との噛合いを外すから、ゼンマイバネのバネ力により糸を巻き上げハンガー本体を上昇させる。停止させるにはプルノブを若干引きプルノブとスイッチとの係合を外して、付勢具の付勢力によりプルノブを移動させリールの歯とプルノブの爪との噛合いをロックしてハンガー本体を直ちに停止させることができる。
【０００６】
請求項２の発明は、前記上下移動装置は、ハンガー本体に設けた２本の軸に２個のリールを回転自在に設け、これら軸とリールとの間に互いに逆回転方向のゼンマイバネを介在させて設け、前記取付具に前記ハンガー本体を吊るしている糸を前記リールに巻き付けた状態で取り付けたオートハンガーを提供するものである。従って、ハンガー本体を吊り上げる場合はゼンマイバネの駆動力により、下げる場合は手で押し下げ、任意の位置で止めれば停止装置が作用し、その位置でハンガー本体を停止させることができる。
【０００８】
請求項３の発明は、前記上下移動装置に巻き上げ方向に作用するダンパー装置を設けたオートハンガーを提供するものである。従って、上下移動装置によるハンガー本体の移動速度をダンパー装置の作用により制限することができる。
【０００９】
【発明の実施の形態】
以下、実施の形態をあげて本発明を添付図面に基づいて詳述する。
図１は本発明の実施形態を示すオートハンガーの正面図で、このオートハンガー１は、任意の場所に着脱自在の取付具２と、上下移動装置（図４参照）３及び任意位置に停止しロックする停止装置（図５参照）４を内蔵し、取付具２に糸５、６により吊り下げた状態で着脱自在に取り付けたハンガー本体７と、このハンガー本体７に着脱自在に取り付け、ポスター等９を取り付けるハンガーバー８と、からなるものである。
【００１０】
前記取付具２は、図２に示すように、天井１０に取り付ける断面がＣ字状の天井取付板１１に本体取付板１２を嵌め込む方式である。この天井取付板１１はボルト等で天井１０に取り付け、予めポスター等を吊り下げたい所に設置しておく。本体取付板１２は、両端に抜け防止のためのストッパー１２ａ、１２ｂがあり、天井取付板１１に本体取付板１２を嵌め込めば、ストッパー１２ａ、１２ｂによりオートハンガー１全体が落下しない。
【００１１】
前記ハンガー本体７は、収納ケース２０内に上下移動装置３及び停止装置４を内蔵しており、蓋ケース２１により蓋をされる。収納ケース２０の長手方向両端に前記ハンガーバー７を吊り下げるための孔２０ａが明いている。
【００１２】
前記上下移動装置３は、図３、４に示すように、前記収納ケース２０に設けた２本の軸２２、２３に２個のリール２４、２５を回転自在に設け、これらの軸２２、２３とリール２４、２５との間に互いに逆回転方向のゼンマイバネ２６、２７を介在させて設け、前記取付具２に前記ハンガー本体７を吊るしている糸５、６をリール２４、２５の外周面に巻き付けた状態で固定してなるものである。なお、糸５、６の長さは、任意に設定出来るが、通常ゼンマイバネ２６、２７との関係からリール２４、２５に３〜５回ほど巻き付けた長さのものを使用することが好ましい。
【００１３】
そして、上述のリール２４は、時計回りのゼンマイバネ２６を収容し、リール２５は、反時計回りのゼンマイバネ２７を収容している。このため、糸５、６の上部を固定してハンガー本体７を押し下げると、リール２４は時計方向に回るからゼンマイバネ２６も時計方向に巻き込まれ、リール２５は反時計方向に回るからゼンマイバネ２７も反時計方向に巻き込まれて、糸５、６が巻き出される結果、ハンガー本体７が下がり、ハンガー本体７を放すとゼンマイバネ２６、２７のバネ力により元の位置に戻る。なお、２個のリール２４、２５は共にカバー１３を設けられる。
【００１４】
このハンガー本体７がゼンマイバネ２６、２７のバネ力により元の位置に戻る際、急激に戻るのを防ぐため、前記上下移動装置３に巻き上げ方向に作用するダンパー装置３０を設けている。このダンパー装置３０は、前記収納ケース２０に設けた２本の軸３１、３２に２個のダンパーケース３３、３４を回動自在に設け、これらダンパーケース３３、３４にそれぞれ一方向、即ち巻き上げ時のみ作用するオイルダンパー（ニフコ製）３５、３６を装着している。従って、このオイルダンパー３５、３６は互いに逆方向に作用するものを使用することになる。
【００１５】
また、前記停止装置４は、２つのリール２４、２５の外周に刻設した歯４０、４１と、これらの歯４０、４１に互いに噛合う爪４２、４３を有するプルノブ４４と、このプルノブ４４の爪４２、４３を噛合う方向に付勢する付勢具４５と、該付勢具４５の付勢力に沿いあるいは反してプルノブ４４を進退移動させてリール２４、２５の歯４０、４１とプルノブ４４の爪４２、４３とを噛合い及び外すスイッチ４６とからなる。
【００１６】
即ち、停止装置４は、リール２４、２５の歯４０、４１と、これらと噛合う爪４２、４３とでラチェット４Ａ、４Ｂを構成し、歯４０は、ゼンマイバネ２６による反時計回りを阻止し、歯４１は、ゼンマイバネ２７による時計回りを阻止して、ハンガー本体７をゼンマイバネ２６、２７のバネ力により上昇するのを防ぐものである。
【００１７】
前記プルノブ４４は、収納ケース２０の中央部に上下動可能に装着され、その上部と収納ケース２０との間に弾発バネである前記付勢具４５が装着され、また、そのプルノブ４４の上部には、図６に示すように、スイッチ４６の係合爪４７ａに係合する係合爪４８ａが設けられ、更に、スイッチ４６の斜面４７ｂに当接する斜面４８ｂが設けられている。スイッチ４６はプルノブ４４の係合爪４８ａの上に位置して、収納ケース２０に水平方向可能に装着されている。また、スイッチ４６は、その一端がボタン４９になって外部に露出し、他端と収納ケース２０との間に弾発バネ５０が装着されている。
【００１８】
従って、ボタン４９をオン、即ち押すと、スイッチ４６の係合爪４７ａがプルノブ４４の係合爪４８ｂを乗り越えて係合するから（図８参照）、プルノブ４４は付勢具４５の付勢力に反して下方に移動し、ラチェット４Ａ、４Ｂを構成するリール２４、２５の歯４０、４１からプルノブ４４の爪４２、４３が外れ、オートハンガー本体７がゼンマイバネ２６、２７のバネ力により上昇する力が働いて上昇する。適当な高さでプルノブ４４を下方に僅かに引くと、スイッチ４６の係合爪４７ａとプルノブ４４の係合爪４８ａとの係合が外れ（図９参照）、スイッチ４６の斜面４７ｂにプルノブ４４の斜面４８ｂが当接するから、スイッチ４６は弾発バネ５０により元に戻り、即ちボタン４９をオフにするから（図６参照）、プルノブ４４は付勢具４５の付勢力により上方に移動し、ラチェット４Ａ、４Ｂがロックし、ハンガー本体７がその位置で停止する。
【００１９】
また、プルノブ４４を下方に引くと、スイッチ４６からプルノブ４４が離れかつラチェット４Ａ、４Ｂが解除されるから、そのまま引いて行くと、ハンガー本体７を下降させることができ、引くのをやめると、スイッチ４６及びプルノブ４４の斜面４７ｂ及び斜面４８ｂ同士が当接し、ラチェット４Ａ、４Ｂがロックされる。
【００２０】
ハンガーバー８は、図１０に示すような断面形状をなし、オートハンガー本体７との接続は、ジョイントセット５９によりなされる。このジョイントセット５９による接続は、収納ケース２０の長手方向両端の孔２０ａ、２０ａに嵌めるエンドフック６０、６１に糸６２、６３の一端を結び、糸６２、６３の他端をエンドキャップ６４、６５の孔を通し、ストッパー６６、６７に結び、ハンガーバー８の両端からストッパー６６、６７を嵌め込むと共に両端にエンドキャップ６４、６５を嵌合し、ストッパー６６、６７を移動して糸６２、６３の長さを調節して、レバー６８、６９を倒してロックして、接続を終了する。なお、ハンガーバー８は、ポスター等の大きさにより種々の長さのものが用意される。
【００２１】
次に上記構成になるオートハンガー１の使用状態を説明する。
まず、建物の天井等に天井取付板１１を予め設置して置く。次に、吊り下げるポスター等を選択しそれに合うハンガーバー８を選んで、それにポスター等９を取り付ける。ハンガーバー８はジョイントセット５９によりオートハンガー本体７に接続される。そして、天井取付板１１に本体取付板１２をこれのストッパー１２ａ、１２ｂを効かすまで嵌め込めば、建物の天井等にポスター等９を取り付ける作業が終了する。
【００２２】
ポスター等９の高さ調整は、プルノブ４４を下方に引き、停止装置４のラチェット４Ａ、４Ｂを解除すれば、ポスター等９を下方に移動出来、プルノブ４４を引くのを止めれば、その高さでプルノブ４４は付勢具４５により上昇してラチェット４Ａ、４Ｂをロックし、ポスター等９を停止させる。ボタン４９をオンすると、スイッチ４６とプルノブ４４とが係合して、プルノブ４４は下方に移動し、ラチェット４Ａ、４Ｂを解除し、ハンガー本体７がゼンマイバネ２６、２７のバネ力により上昇する。適当な高さでプルノブ４４を下方に僅かに引くと、スイッチ４６とプルノブ４４との係合が外れ、ボタン４９をオフにするから、プルノブ４４は上方に移動し、ラチェット４Ａ、４Ｂをロックし、ハンガー本体７がその位置で停止する。
【００２３】
以上、本発明の実施形態を説明したが、具体的な構成はこれに限定されず、本発明の要旨を逸脱しない範囲での変更、追加は本発明の範囲内である。
【００２４】
【発明の効果】
以上詳述したように、請求項１の発明によれば、任意の場所に取付具を着すことでポスター等を吊るす位置を変え、上下移動装置によりハンガーバーに吊るしたポスター等の高さを調節し、ハンガー本体にポスター等を取り付けたハンガーバーを変えることで、ポスター等を変える。従って、従来のものに比べてポスターを吊るす場所と高さを極めて容易に調整出来る。また、プルノブを付勢具の付勢力に反して下方に引き、リールの歯と前記プルノブの爪との噛合いを外すと共にスイッチをオフの状態にし、そのまま設定位置まで引くと上下移動装置のゼンマイバネを巻き上げ、プルノブの引くのを止めると、付勢具の付勢力によりリールの歯とプルノブの爪とが噛合い直ちにハンガー本体を下げた位置で停止出来る。スイッチをオンすると、プルノブを付勢具の付勢力に反して移動させてリールの歯とプルノブの爪との噛合いを外すから、ゼンマイバネのバネ力により糸を巻き上げハンガー本体を上昇させる。停止させるにはプルノブを若干引きプルノブとスイッチとの係合を外して、付勢具の付勢力によりプルノブを移動させリールの歯とプルノブの爪との噛合いをロックしてハンガー本体を直ちに停止させる。従って、簡単な構造のもので、ポスター等を自在の高さに調節出来る。
【００２５】
請求項２の発明によれば、上記効果に加え、ハンガー本体を吊り上げる場合はゼンマイバネの駆動力により、下げる場合は手で押し下げ、任意の位置で止めれば停止装置が作用し、その位置でハンガー本体を停止させるから、構造簡単にして、電源の確保や配線工事などが必要ない。
【００２７】
請求項３の発明によれば、上記効果に加え、上下移動装置によるハンガー本体の移動速度をダンパー装置の作用により下げることが出来、急激な上昇による不都合な点が解消できる。
【図面の簡単な説明】
【図１】本発明の実施形態を示すオートハンガーの組み立て状態の正面図である。
【図２】本発明の実施形態の取付具の平面図である。
【図３】本発明の実施形態を示すハンガー本体の正面図である。
【図４】本発明の実施形態を示すハンガー本体の正面図である。
【図５】本発明の実施形態を示すハンガー本体の正面図である。
【図６】本発明の実施形態を示す停止装置の側面図である。
【図７】停止装置のプルノブとスイッチとの関係を示す側面図である。
【図８】本発明の実施形態を示す停止装置の側面図である。
【図９】本発明の実施形態を示す停止装置の側面図である。
【図１０】本発明の実施形態を示すハンガーバーの断面図である。
【符号の説明】
１                      オートハンガー
２                      取付具
３                      上下移動装置
４                      停止装置
５、６                  糸
７                      ハンガー本体
８                      ハンガーバー
２２、２３              軸
２４、２５              リール
２６、２７              ゼンマイバネ
３０                    ダンパー装置
４０、４１              歯
４２、４３              爪
４４                    プルノブ
４５                    付勢具
４６                    スイッチ
【図１】
0003904638.tif 000002
【図２】
0003904638.tif 000003
【図３】
0003904638.tif 000004
【図４】
0003904638.tif 000005
【図５】
0003904638.tif 000006
【図６】
0003904638.tif 000007
【図７】
0003904638.tif 000008
【図８】
0003904638.tif 000009
【図９】
0003904638.tif 000010
【図１０】
0003904638.tif 000011